(57)【要約】      （修正有）【課題】ゴルフのパッティングの際に、カップまでの距離を簡単な方法で計測し、それに適したパターのテークバック量が分かる有効な手段を提供する。【解決手段】身長１５０〜１９０ｃｍ範囲で例えば１０ｃｍ刻みに５種の計測距離表示と推奨テークバック量を併記した短冊１を用意する。パターのグリップ部３には専用の台があって、短冊が無くともデザイン的に違和感無くそのまま使え、短冊を使用する場合はプレーヤが簡単に着脱できる。この距離計測方法はグリーン傾斜が上りの時は多めに、下りは少なく読取れるため、特別の急な下り以外は読んだテークバック量そのままでパッティングして良く、非常に実用的で優れた機能を有している。【選択図】図３
0003101436.tif 000002
【実用新案登録請求の範囲】
【請求項１】
耐湿性の細長い短冊とその短冊を保持する部材があって、その保持部材はグリップ部に装填されており、前記短冊には或る間隔毎にマーキングを付け、そのマーキングには推奨テークバック量のみ、もしくはカップまでの換算距離数を併記したことを特徴とする距離計測機能付パター。
【考案の詳細な説明】
【技術分野】
【０００１】        本考案はゴルフのパッティングの際に、カップまでの距離を簡単な方法で計測し、それに適したパターのテークバック量が分かる有効な手段を提供するものである。
【背景技術】
【０００２】        従来の計測方法はボールからカップまでの歩数で測っていたが誤差が大きく、精度良く測るには相当の経験が必要であった。
また実願２００３−３９３６で記載されている方法は、グリーン上のボール位置でパターのグリップ終端を目の高さに合わせて吊り下げ、腕は伸ばしたままカップを覗きこんだ時の目線とパターの交点を検出し、グリップ終端から交点までの長さとプレーヤ身長からカップまでの距離を換算するものである。
【考案の開示】
【考案が解決しようとする課題】
【０００３】        実願２００３−３９３６ではパターのグリップに或る間隔毎にマーキングを付け、プレーヤの身長に基ずく換算距離を表示したシールをそれぞれのマーキングに貼る方式を採っているが、ユーザーの準備負担が多く且つ機能的にもデザイン的にも不十分であった。
【課題を解決するための手段】
【０００４】        本考案は実願２００３−３９３６が有する課題を解決するもので、特にパターのメーカー側が最初からデザイン的にグリップ部を見直し、細長い短冊を簡単に装填できる構造にしておく。その短冊にはグリップ終端（もしくはその付近の貫通穴）を基点に、或る間隔毎に換算距離数と推奨テークバック量を印刷し、例えば身長１５０ｃｍ、１６０ｃｍ、１７０ｃｍ、１８０ｃｍ、１９０ｃｍ用の５種を用意しておく。
推奨テークバック量は腕とパターを一体にした振子としてモデル化し理論的に導いた式から算出するもので、グリーン傾斜角０°の時のパッティング距離数とテークバック量の関係を使う。この振子理論の骨子は腕と一体に運動するパターは或る量の運動エネルギーをボールに与える。ボールは転がることで消失するエネルギーと、グリーン傾斜による位置エネルギーの変化で先の運動エネルギーを使い切る。
この振子理論に最適なパッティング方法は、両手でパターのグリップをズレ落ちない程度に軽く握って、目の動きのみで所定のテークバック量を見定めた後、スイングは掌にパターからの横荷重を感じない程度に背筋・肩全体でゆっくりと回転し、頭はボールを打つまで静止して首筋根元の回転中心を固定する。
【考案の効果】
【０００５】        パッティングで重要なポイントは打ち終わるまで頭を動かさずに、初回のパッティングでカップ１ｍ以内にボールを転がすための方向と距離感にある。特にロングパットの場合は構えている時の視野内にカップが無い為、テークバックをどれだけ見積もるかは不安の多いものである。この不安を解消するのが本考案の目的であり、カップまでの距離計測と最適なテークバック量を提示し、且つ機能的にもデザイン的にも優れたものを提供する。
【考案を実施するための最良の形態】
【０００６】        短冊には或る間隔毎に換算距離数と推奨テークバック量を印刷し、長手方向の両側に僅かな折り返しをつけておく。パターのグリップ部には短冊幅の台座が埋め込まれていて、この台座に先の短冊をスライド挿入する。或いは短冊の折り返しの代わりに粘着性を持たせ、直接グリップ埋め込みの台座に接着しても良い。また台そのものが透明のカバーで覆われた袋状になっていて、この中に短冊を挿入する方法でも良く、この場合は短冊の裏面に粘着性は持たせない。この台表面は周辺のグリップ面とほぼ同じ高さにして一体感をだしておき、短冊がついていない場合はデザイン的にメーカ独自のアクセントとなるようにする。グリップ端面は平坦な反射面にして、光の反射状況を見ながら目の高さに合わせ易くする。
測長方法は実願２００３−３９３６に詳しく述べているが、この場合はグリーン面の傾きが０度を前提にしていた。しかしグリーン面が傾いていた時の測長がどのように影響されるかを示したのが図１である。身長１７０ｃｍの場合、グリーン傾斜角に対して計測する距離が実際の距離の何倍になるかを示したのが表１である。
【表１】
0003101436.tif 000003
一方パターと腕を一体にした振り子として、テークバック量とボール転がり量を論理的に導いた式によると、グリーン面の傾きに対するテークバック量の変化はパッティング距離数を横軸にとると図２になる。この時のグリーン傾斜角に対するテークバック量の倍率は傾斜角０°の時を１にして表すと表２になる。
【表２】
0003101436.tif 000004
表１および表２の関係をみると、パッティング距離数が１０〜１５ｍ範囲でグリーン傾斜±２．５度の範囲はそれぞれの倍率が近似している。即ち読取った距離に合ったテークバック量でパッティングして良いことを意味し、更にカップから１ｍ範囲の１パット圏内を狙うのであれば、殆どのコースをカバーできる読み取り精度になる。
【実施例１】
【０００７】        図３は本考案を示すもので、計測距離とテークバック量を印刷した耐湿性の短冊１には両側に折り返し２がある。パターのグリップ部３には短冊１を取り付ける台４が組込まれており、表面はロゴ等の意匠が施されている。この台４の高さはグリップ周辺の高さとほぼ同じで、このまま持ってもプレーヤには違和感が無いようにしてある。プレーヤの身長に近い短冊１を選び図中矢印方向から台座４に挿入する。
【実施例２】
【０００８】        図４は短冊の両側に折り返し２を付けない単なるシート状になっているが、短冊を保持するグリップ装着部材側に折り返し２−ａが付けられている。この折り返しは短冊１の裏面に接着剤を塗布しておけば不要になる。また折り返しの上面に透明の化粧板を張り合わせて袋状にしておけば、短冊を使わないプレーヤにとって違和感がなくグリップを掴むことが出来る。
いづれにしても本測長方法はグリーン面が傾斜していると、傾斜角に応じて計測距離数が実際よりも異なって測れるため、短冊の各マーキング位置は推奨テークバック量のみが印刷されていても実使用上何ら問題は無い。
【図面の簡単な説明】
【０００９】
【図１】  測長値とグリーン傾斜角の関係
【図２】  振子モデルにおけるテークバック量とグリーン傾斜角の関係
【図３】  本考案品の概観図、グリップに付設した専用取り付け台
【図４】  計測表示板と専用取り付け台の応用例
【符号の説明】
【００１０】  １        短冊（計測距離表示、推奨テークバック量表示）
２        短冊に付けた折り返し
２−ａ    専用台に付けた折り返し
３        パターのグリップ部
４        折り返し付短冊の専用取付け台
４−ａ    ストレート短冊の専用取付け台
【図１】
0003101436.tif 000005
【図２】
0003101436.tif 000006
【図３】
0003101436.tif 000007
【図４】
0003101436.tif 000008
【手続補正書】
【提出日】平成15年11月26日(2003.11.26)
【手続補正１】
【補正対象書類名】明細書
【補正対象項目名】０００６
【補正方法】変更
【補正の内容】
【０００６】        短冊には或る間隔毎に換算距離数と推奨テークバック量を印刷し、長手方向の両側に僅かな折り返しをつけておく。パターのグリップ部には短冊幅の台座が埋め込まれていて、この台座に先の短冊をスライド挿入する。或いは短冊の折り返しの代わりに粘着性を持たせ、直接グリップ埋め込みの台座に接着しても良い。また台そのものが透明のカバーで覆われた袋状になっていて、この中に短冊を挿入する方法でも良く、この場合は短冊の裏面に粘着性は持たせない。この台表面は周辺のグリップ面とほぼ同じ高さにして一体感をだしておき、短冊がついていない場合はデザイン的にメーカ独自のアクセントとなるようにする。グリップ端面は平坦な反射面にして、光の反射状況を見ながら目の高さに合わせ易くする。
測長方法は実願２００３−３９３６に詳しく述べているが、この場合はグリーン面の傾きが０度を前提にしていた。しかしグリーン面が傾いていた時の測長がどのように影響されるかを示したのが図１である。身長１７０ｃｍの場合、グリーン傾斜角に対して計測する距離が実際の距離の何倍になるかを示したのが表１である。
【表１】
0003101436.tif 000009
一方パターと腕を一体にした振り子として、テークバック量とボール転がり量を論理的に導いた式によると、グリーン面の傾きに対するテークバック量の変化はパッティング距離数を横軸にとると図２になる。この時のグリーン傾斜角に対するテークバック量の倍率は傾斜角０°の時を１にして表すと表２になる。
【表２】
0003101436.tif 000010
表１および表２の関係をみると、パッティング距離数が１０〜１５ｍ範囲でグリーン傾斜±２．５度の範囲はそれぞれの倍率が近似している。即ち読取った距離に合ったテークバック量でパッティングして良いことを意味し、更にカップから１ｍ範囲の１パット圏内を狙うのであれば、殆どのコースをカバーできる読み取り精度になる。
具体的にはボールが安定的に静止する最大グリーン傾斜角±３．３°に着目し、各パッティング長における測長誤差率と傾斜角に対するテークバック量の倍率を乗算し、グリーン傾斜０°のテークバック量と比較したのが表３である。
【表３】
0003101436.tif 000011
この表を見るとカップまでの距離が１５ｍ以下の場合、急な上りは概ね平坦時の１．１倍、急な下りは概ね０．５倍で良く、この間の傾斜角は比例配分で最適なテークバック量を判断する。
今までの議論は身長１７０ｃｍであったが、身長１５０〜１９０ｃｍにおけるグリップ終端を基準に各目盛りの計測距離とテークバック量の関係を表したのが表４である。ただしパターの総重量は５６０ｇのものを対象にしている。
【表４】
0003101436.tif 000012
ここで目盛りとテークバック量のみに注目すると、次の関係が推測できる。
【表５】
0003101436.tif 000013
即ち身長１５０〜１９０ｃｍに対するグリップ表示の目盛りとテークバック量の関係は、１枚の短冊で網羅できることを示している。またパター製造元で初めからデザイン的に違和感のないように、グリップ部の短冊保持部材表面に印刷することができる。
【手続補正２】
【補正対象書類名】明細書
【補正対象項目名】０００８
【補正方法】変更
【補正の内容】
【０００８】        図４は短冊の両側に折り返し２を付けない単なるシート状になっているが、短冊を保持するグリップ装着部材側に折り返し２−ａが付けられている。この折り返しは短冊１の裏面に接着剤を塗布しておけば不要になる。また折り返しの上面に透明の化粧板を張り合わせて袋状にしておけば、短冊を使わないプレーヤにとって違和感がなくグリップを掴むことが出来る。
いづれにしても本測長方法はグリーン面が傾斜していると、傾斜角に応じて計測距離数が実際よりも異なって測れるため、短冊の各マーキング位置は推奨テークバック量のみを印刷しても実使用上何ら問題は無い。その例を示したのが図５で、１枚の短冊で身長１５０〜１９０ｃｍを対象にテークバック量を表示したものである。この表示目盛りの読み方は例えば身長１７０ｃｍのプレーヤがカップまでの距離を測る時、カップ位置がグリップ終端から１４ｃｍの所にあったとする。推奨テークバック量は２９ｃｍ〜３２ｃｍの間にあり、指数関数の目盛り配分から概ね３０ｃｍと読めば良い。またグリーン傾斜の上りが急な場合は概ね平坦時の１．１倍、急な下りは概ね０．５倍のテークバック量でパッティングするのはどの身長でもほぼ同様である。
【手続補正３】
【補正対象書類名】明細書
【補正対象項目名】０００９
【補正方法】変更
【補正の内容】
【０００９】
【図１】    測長値とグリーン傾斜角の関係
【図２】    振子モデルにおけるテークバック量とグリーン傾斜角の関係
【図３】    本考案品の概観図、グリップに付設した専用取り付け台
【図４】    計測表示板と専用取り付け台の応用例
【図５】    テークバック量表示の一本化
【手続補正４】
【補正対象書類名】明細書
【補正対象項目名】００１０
【補正方法】変更
【補正の内容】
【００１０】１        短冊（計測距離表示、推奨テークバック量表示）
２        短冊に付けた折り返し
２−ａ    専用台に付けた折り返し
３        パターのグリップ部
４        折り返し付短冊の専用取付け台
４−ａ    ストレート短冊の専用取付け台
５        傾きを持った目盛り
【手続補正５】
【補正対象書類名】図面
【補正対象項目名】図５
【補正方法】追加
【補正の内容】
【図５】
0003101436.tif 000014